(57)【要約】【課題】ワイヤータイプの盗難防止タグに関し、筐体に対する係合端子の着脱を確実かつ容易に行うことができるようにする。【解決手段】物品に通されるワイヤと、少なくともワイヤの一端に形成された係合端子と、係合端子を挿抜可能に保持する保持部とから構成される盗難防止タグにおいて、保持部には、係合端子の挿抜口となる開口部３４を有するとともに挿入された係合端子をロックするロック金具３１を備え、ロック金具３１は、係合端子の側面形状に倣った形状に形成され係合端子の挿抜をガイドするガイド部４１を有する。ロック金具３１にガイド部４１を備えたため、係合端子の挿入位置がずれていたり傾いたりした場合においても、確実に開口部に係合端子を導くことができる。また、挿抜時にカジリやガタが生じることもないため、係合端子の挿抜を円滑に行うことができる。【選択図】図３
2011108011.tif 000002
【特許請求の範囲】
【請求項１】
盗難防止対象の物品に通されるワイヤと、少なくとも該ワイヤの一端に形成された係合端子と、該係合端子を挿抜可能に保持する保持部とから構成される盗難防止タグであって、
該保持部には、該係合端子の挿抜口となる開口部を有するとともに挿入された係合端子をロックするロック金具を備え、
該ロック金具は、該係合端子の側面形状に倣った形状に形成され該係合端子の挿抜をガイドするガイド部を有する
盗難防止タグ。
【請求項２】
前記ガイド部は、板状部材からなる前記ロック金具の一端を折り曲げて形成された板バネの先端部に凹状に形成される
請求項１に記載の盗難防止タグ。
【請求項３】
前記ロック金具を折り曲げた状態で係合端子収容部が形成され、
該係合端子収容部の上部に前記開口部が形成され、
該係合端子収容部の内部には、挿入された前記係合端子を抜方向に付勢するバネ部材が収容される
請求項１に記載の盗難防止タグ。
【発明の詳細な説明】
【技術分野】
【０００１】
本発明は、物品の盗難防止のために物品にワイヤを通して装着される盗難防止タグに関するものである。
【背景技術】
【０００２】
商店等においては、盗難防止等を目的として、商品等に盗難防止タグが取り付けられる場合が多い。盗難防止タグは、タグがついたままの商品等が店舗出入口を通過した場合には、出入口付近に設置した保安装置と連動して警報を発したり、盗難防止タグが商品等から外された場合に警報を発したりするものである。
【０００３】
こうした盗難防止タグには、ワイヤによって商品等に取り付けられるタイプのものがある。ワイヤによって商品等に取り付けられるタイプの盗難防止タグは、盗難防止タグからのびたワイヤを商品等に通してループさせてからワイヤを盗難防止タグに戻して固定されるものであり、ワイヤの先端に取り付けられた軸状の係合端子を筐体内部に挿入して固定することにより、筐体内部の端子と係合端子とが接触して電気的導通を得るように構成されているものが一般的に使用されている（例えば特許文献1参照）。
【先行技術文献】
【特許文献】
【０００４】
【特許文献１】特開２００２−３０４６７６号公報
【発明の概要】
【発明が解決しようとする課題】
【０００５】
このように、盗難防止タグは、係合端子を筐体内部に挿入して固定するため、挿入時の向きや角度が適正でない場合は、筐体内部において電気的導通を得ることができず、所望の動作をしないことがある。また、カジリやガタが生じると、係合端子の挿入及び取り出しができなくなるという問題もある。さらに、繰り返しの使用により係合端子が変形したり摩耗したりすると、このような問題が生じやすくなる。
【０００６】
本発明は、このような事情の鑑みてなされたものであり、その目的は、ワイヤータイプの盗難防止タグに関し、筐体に対する係合端子の着脱を確実かつ容易に行うことができるようにすることにある。
【課題を解決するための手段】
【０００７】
本発明は、盗難防止対象の物品に通されるワイヤと、少なくともワイヤの一端に形成された係合端子と、係合端子を挿抜可能に保持する保持部とから構成される盗難防止タグに関するものであり、保持部には、係合端子の挿抜口となる開口部を有するとともに挿入された係合端子をロックするロック金具を備え、ロック金具は、係合端子の側面形状に倣った形状に形成され係合端子の挿抜をガイドするガイド部を有する。
【０００８】
この盗難防止タグにおいて、ガイド部は、板状部材からなるロック金具の一端を折り曲げて形成された板バネの先端部に凹状に形成されることが望ましい。また、ロック金具を折り曲げた状態で係合端子収容部が形成され、係合端子収容部の上部に開口部が形成され、係合端子収容部の内部に、挿入された係合端子を抜方向に付勢するバネ部材が収容されることが望ましい。
【発明の効果】
【０００９】
本発明に係る盗難防止タグは、ロック金具に、係合端子の側面形状に倣った形状に形成され係合端子の挿抜をガイドするガイド部を備えたため、係合端子の挿入位置がずれていたり傾いたりした場合においても、確実に開口部に係合端子を導くことができる。また、挿抜時にカジリやガタが生じることもないため、係合端子の挿抜を円滑に行うことができる。
【図面の簡単な説明】
【００１０】
【図１】本発明に係る盗難防止タグの全体図である。
【図２】同盗難防止タグの要部の内部構造図である。
【図３】同盗難防止タグを構成するロック金具を示す斜視図である。
【図４】同ロック金具を示す平面図である。
【図５】同ロック金具を示す側面図である。
【図６】係合端子がロック金具にロックされた状態を示す内部構造図である。
【図７】同ロック金具による同係合端子のロックが解除された状態を示す内部構造図である。
【図８】同係合端子と同ロック金具の接触面との接触状態を示す説明図である。
【発明を実施するための形態】
【００１１】
図１に示す盗難防止タグ１は、盗難防止対象の物品に通されるワイヤ２と、ワイヤ２を保持する筐体である保持部３とから構成されている。ワイヤ２の少なくとも一端（図示の例では両端）には、軸状の係合端子２０が設けられており、保持部３は、係合端子２０を挿抜可能に保持する。
【００１２】
図２に示すように、係合端子２０は、軸部２１と、軸部２１より小径の軸である溝部２２と、溝部２２より先端側に形成された先端部２３とから構成されている。先端部２３は、溝部２２から拡径した大径部２４と、大径部２４から先端方向に向けて先細となる円錐面２５と、丸みのある頂部２６とを有している。
【００１３】
保持部３には、係合端子２０の挿抜の出入口となる円筒状の挿抜口３０が突出形成されている。また、保持部３の内部には、挿入された係合端子２０をロックするロック金具３１と、ロック金具３１による一方の係合端子２０のロック状態を解除する解除部材３２とが配設されている。解除部材３２は、解除ボタン３３を押下することにより保持部３の内部に没む方向に移動可能となっている。図示の例では、解除ボタン３３は１つのみ設けられ、片方の挿抜口３０から挿入される係合端子２０のロック状態を解除する役割を果たす。
【００１４】
ロック金具３１は、図３に示すように、１枚の板状部材を折り曲げて形成されている。
ロック金具３１を構成する板状部材の一方の端部には、板状部材が台形状に折り曲げられその上部である上底部分の面に係合端子２０の挿抜口となる開口部３４が形成された係合端子収容部３５が形成されている。板状部材からなるロック金具３１のもう一方の端部には、Ｕ字状に折り曲げられて板バネ３６が形成されている。板バネ３６は、鉛直方向に起立した壁部３７と、壁部３７から折り曲げられた弾性部３８と、弾性部３８から係合端子収容部３５に向けてのび係合端子２０の円錐面２５と接触する接触面３９とから構成される。ロック金具３１は、弾性部３８において弾性を生じさせ、係合端子収容部３５においてその形状を維持できるものであれば、その材質は問わない。
【００１５】
図２に示すように、係合端子収容部３５には、バネ部材である円錐形状のコイルバネ４０が収容されている。コイルバネ４０は、上方に向けて縮径する円錐台形状に形成されており、係合端子収容部３５から外れないように収容され、コイルバネ４０の頂部４０ａは係合端子収容部３５の開口部３４から若干上方に突出した状態となっている。コイルバネ４０の頂部４０ａの内径は、係合端子２０の大径部２４より僅かに小さく形成されており、コイルバネ４０の頂部４０ａが、挿入された係合端子２０の円錐面２５を支持するように構成されている。コイルバネ４０は、係合端子２０の抜方向に付勢されている。
【００１６】
図２に示すように、解除部材３２は、接触面３９とほぼ平行な押圧面３２０を有しており、解除ボタン３３を押下していない状態では、解除部材３２が接触面３９を押圧しないため、コイルバネ４０の上方に接触面３９の先端部が位置している。一方、解除ボタン３３が下方に押圧されると、それにともない解除部材３２が下降することにより押圧面３２０が接触面３９を水平方向に押圧し、接触面３９をコイルバネ４０の上方から退避させる。
【００１７】
図３、図４及び図５に示すように、板バネ３６の接触面３９の先端部には、係合端子２０の挿抜時に係合端子２０をガイドするガイド部４１が形成されている。ガイド部４１は、Ｒのある凹状に形成されており、係合端子２０の側面である円錐面２５の形状に倣って円弧状に形成されている。ガイド部４１は、円錐面２５の最も大径な部分と同等以上の曲率半径を有する円弧状に形成されている。係合端子２０が挿入されていない状態においては、図４に示すように、ガイド部４１が開口部３４の一部を隠す程度にロック金具３１が形成されている。
【００１８】
係合端子２０を挿抜口３０から挿入して保持部３の内部に押し込んでいくと、係合端子２０の円錐面２５が図３〜５に示したガイド部４１と接触し、ガイド部４１に案内されて係合端子２０が保持部３の内部に進入していき、やがて、図６に示すように、先端部２３の大径部２４が接触面３９の先端部を通過し、接触面３９の先端部が大径部２４を係止し、その状態で係合端子２０が固定される。このとき、円錐面２５がコイルバネ４０に接触してコイルバネ４０を押圧する。
【００１９】
一方、その状態において解除ボタン３３を押下していくと、図７に示すように、解除部材３２の押圧面３２０の上端部が接触面３９を横方向に押圧するため、接触面３９の先端部と大径部２４との係止状態が解除される。こうして接触面３９の先端部と大径部２４との係止状態が解除されると、係合端子２０が自由状態となる。そして、自由状態になった係合端子２０は、コイルバネ４０の上方への付勢力によって、ガイド部４１によって案内されて上方に押し上げられる。
【００２０】
このようにして行う係合端子２０の挿抜時は、図８に示すように、円錐面２５がガイド部４１に対して接触部４１ａにおいて面接触した状態でガイドされるため、係合端子２０が開口部３４に対してずれたり傾いたりした状態で挿抜されようとした場合でも、確実に開口部３４の内部であってコイルバネ４０の中心に導くことができるとともに、確実に保持部３の外部に抜き出すことができる。また、係合端子２０が摩耗したり変形したりしていても、確実に挿抜を行うことができる。さらに、挿抜時にカジリやガタが生じることもないため、係合端子２０の挿抜を円滑に行うことができる。
【符号の説明】
【００２１】
１：盗難防止タグ
２：ワイヤ
２０：係合端子  ２１：軸部  ２２：溝部  ２３：先端部  ２４：大径部
２５：円錐面  ２６：頂部
３：保持部
３０：挿抜口  ３１：ロック金具  ３２：解除部材  ３３：解除ボタン
３４：開口部  ３５：係合端子収容部  ３６：板バネ  ３７：壁部
３８：弾性部  ３９：接触面
４０：コイルバネ  ４０ａ：頂部  ４１：ガイド部
【図１】
2011108011.tif 000003
【図２】
2011108011.tif 000004
【図３】
2011108011.tif 000005
【図４】
2011108011.tif 000006
【図５】
2011108011.tif 000007
【図６】
2011108011.tif 000008
【図７】
2011108011.tif 000009
【図８】
2011108011.tif 000010